(57)【要約】【課題】中蓋の容器本体に対する操作性を向上させることができる容器を提供することを課題とする。【解決手段】発泡性合成樹脂製の容器本体２および中蓋３を備え、前記容器本体２は、被収容物が載置される底壁２１と、該底壁２１の表側外周縁部から立設され高さ方向端部を容器本体２の開口部２Ａとする枠状の側壁２Ｂとを備え、前記中蓋３は、前記容器本体２の内部空間において前記側壁２Ｂの高さ方向途中位置に支持されることにより、前記容器本体２の内部空間を、前記高さ方向において表側の空間Ｓ１と裏側の空間Ｓ２とに区画するように構成されており、前記中蓋３の表側外周縁部の一部には、該中蓋３を前記容器本体２の内部に対して出し入れする際に把持可能な突起部３Ａが形成されていることを特徴とする。【選択図】図１
2014069868.tif 000002
【特許請求の範囲】
【請求項１】
発泡性合成樹脂製の容器本体および中蓋を備え、
前記容器本体は、被収容物が載置される底壁と、該底壁の表側外周縁部から立設され高さ方向端部を容器本体の開口部とする枠状の側壁とを備え、
前記中蓋は、前記容器本体の内部空間において前記側壁の高さ方向途中位置に支持されることにより、前記容器本体の内部空間を、前記高さ方向において表側の空間と裏側の空間とに区画するように構成されており、
前記中蓋の表側外周縁部の一部には、該中蓋を前記容器本体の内部に対して出し入れする際に把持可能な突起部が形成されていることを特徴とする容器。
【請求項２】
前記底壁は平面視略矩形をなすと共に、前記側壁は平面視略矩形の枠状をなし、
前記中蓋は、前記側壁に内嵌する平面視略矩形の板状部を備え、前記突起部は、板状部の各短辺の縁部の中央部に形成されていることを特徴とする請求項１記載の容器。
【請求項３】
前記板状部の各長辺の縁部には、補強用凸条部が形成されていることを特徴とする請求項２記載の容器。
【発明の詳細な説明】
【技術分野】
【０００１】
本発明は、発泡性合成樹脂で形成された容器本体と中蓋とを備える容器に関する。
【背景技術】
【０００２】
従来、この種の容器としては、例えば特許文献１の図１に示すような発泡性合成樹脂製の容器本体と中蓋と蓋体とを備えるものが知られている。この容器本体は、被収容物が載置される底壁と、該底壁の表側外周縁部から立設され高さ方向端部を容器本体の開口部とする枠状の側壁とを備え、側壁には、中蓋を支持する支持部（受部）が形成されている。中蓋は、支持部に支持されて容器本体に収容可能な板状部と、該板状部の表側外周縁部から立設される側壁とを備える。この中蓋の側壁は、板状部の表側外周縁部の全周に亘って形成されている。蓋体は、容器本体の開口部を開閉する天壁と、該天壁の裏側外周縁部から垂下される枠状の蓋体側壁とを備える。
【０００３】
上記容器では、容器本体の底壁に被収容物を載置し、容器本体の支持部で板状部が支持されるように中蓋を容器本体に入れて（収容して）、被収容物を保冷するための保冷材を中蓋に載せた上で、蓋体で容器本体の開口部を閉塞している。なお、被収容物を容器から取り出す際には、蓋体を容器本体から外して、保冷材を取り除き、中蓋を容器本体から取り出している。かかる容器では、被収容物と保冷材とが接触しないように、中蓋が容器本体の空間を仕切っているので、被収容物と保冷材との接触による被収容物（例えば魚介類、野菜など）の質（品質）の低下を防止して、被収容物を適度に保冷することができる。
【０００４】
ここで、中蓋を容器本体に出し入れする際には、中蓋は容器本体に対して、中蓋の側壁外面と容器本体の側壁内面とが当接又は僅かに離間した状態になっている。
【先行技術文献】
【特許文献】
【０００５】
【特許文献１】特開２００３−９５３４１号公報
【発明の概要】
【発明が解決しようとする課題】
【０００６】
ところが、上記従来の容器にあっては、中蓋が板状部と該板状部の表側外周縁部の全周から立設される側壁とを備えてなるので、中蓋を容器本体に収容する際や容器本体から取り出す際に、上記のように中蓋の側壁外面と容器本体の側壁内面とが当接又は僅かに離間した状態において、中蓋を把持し難くなっており、中蓋を容器本体に対して移動させ難い。よって、容器本体に対し中蓋を収容したり、取り出したりし難く、中蓋の容器本体に対する操作性の点で改善の余地があった。
【０００７】
そこで、本発明は、上記問題に鑑みてなされたもので、中蓋の容器本体に対する操作性を向上させることができる容器を提供することを課題とする。
【課題を解決するための手段】
【０００８】
本発明に係る容器は、発泡性合成樹脂製の容器本体および中蓋を備え、前記容器本体は、被収容物が載置される底壁と、該底壁の表側外周縁部から立設され高さ方向端部を容器本体の開口部とする枠状の側壁とを備え、前記中蓋は、前記容器本体の内部空間において前記側壁の高さ方向途中位置に支持されることにより、前記容器本体の内部空間を、前記高さ方向において表側の空間と裏側の空間とに区画するように構成されており、前記中蓋の表側外周縁部の一部には、該中蓋を前記容器本体の内部に対して出し入れする際に把持可能な突起部が形成されていることを特徴としている。
【０００９】
かかる構成からなる容器によれば、中蓋の表側外周縁部の一部には、把持可能な突起部が形成されているので、突起部を把持して、容器本体に対し中蓋を収容することや、この収容状態の中蓋を取り出したりすることを容易にできる。したがって、かかる構成からなる容器では、中蓋の容器本体に対する操作性を向上させることができる。
【００１０】
また、本発明の容器では、前記底壁は平面視略矩形をなすと共に、前記側壁は平面視略矩形の枠状をなし、前記中蓋は、前記側壁に内嵌する平面視略矩形の板状部を備え、前記突起部は、板状部の各短辺の縁部の中央部に形成されるように構成することも可能である。
【００１１】
かかる構成からなる容器によれば、中蓋は、平面視略矩形の板状部を備え、突起部は、板状部の各短辺の縁部の中央部に形成されているので、各短辺縁部の中央部の突起部を把持し易く、更に、この各短辺の突起部は長手方向両端側に形成されており、各短辺の突起部を把持することで板状部を安定して移動させることができるので、中蓋の容器本体に対する操作性を向上させることができる。
【００１２】
また、本発明の容器では、前記板状部の各長辺の縁部には、補強用凸条部が形成されるように構成することも可能である。
【００１３】
かかる構成からなる容器によれば、板状部の各長辺の縁部には、補強用凸条部が形成されているので、板状部の各長辺縁部を肉厚にして、中蓋の強度を向上させることができる。
【発明の効果】
【００１４】
本発明の容器によれば、中蓋の表側外周縁部の一部には、把持可能な突起部が形成されているので、突起部を把持して、容器本体に対し中蓋を収容することや、この収容状態の中蓋を取り出したりすることを容易にできる。したがって、かかる容器では、中蓋の容器本体に対する操作性を向上させることができるという効果を奏する。
【図面の簡単な説明】
【００１５】
【図１】本実施形態に係る容器の断面図を示す。
【図２】（ａ）は容器本体の平面図、（ｂ）は同容器本体の底面図を示す。
【図３】図２のＡ１−Ａ１断面の拡大図を示す。
【図４】図２のＡ２−Ａ２断面の拡大図を示す。
【図５】（ａ）は中蓋の平面図、（ｂ）は同中蓋の底面図を示す。
【図６】図５のＡ３−Ａ３断面の拡大図を示す。
【図７】（ａ）は蓋体の平面図、（ｂ）は同蓋体の底面図を示す。
【発明を実施するための形態】
【００１６】
以下、本発明に係る容器の一実施形態について、図１から図７を参照しつつ説明する。本実施形態の容器１は、被収容物として魚介類（例えば、エビ等）を収容することができる箱型状に形成されている。
【００１７】
容器１は、図１に示すように、上端部に開口部２Ａを有する発泡性合成樹脂製の容器本体２と、容器本体２に収容される発泡性合成樹脂製の中蓋３と、容器本体２の開口部２Ａを閉じて密閉状態にするための発泡性合成樹脂製の蓋体４とを備える。尚、発泡性合成樹脂としては、特に限定されないが、例えば発泡ポリスチレン、発泡ポリエチレン、発泡ポリプロピレン等の各種発泡性合成樹脂が利用できる。また、容器１の短辺方向を左右方向とし、容器１の長辺方向を前後方向とする（以下、図中では、左方向を「左」で、右方向を「右」で、それぞれ示し、前方向を「前」で、後方向を「後」で、それぞれ示している）。
【００１８】
容器本体２は、図２に示すように、被収容物が載置される多角形状又は円形状の底壁２１と、該底壁２１の上側（表側）外周縁部から立設され高さ方向端部を容器本体２の開口部２Aとする枠状の本体側壁２Ｂとを備えてなる。
【００１９】
本実施形態では、底壁２１は、平面視略矩形の板状に形成されている。底壁２１の上面２１Ｕは容器本体２の底面に相当し、被収容物を支持する面である。なお、底壁２１の上面２１Ｕを表面と称し、下面２１Ｌを裏面と称してもよい。底壁２１の上面２１Ｕには凹凸面が形成されている。具体的には、底壁２１の上面２１Ｕには、平面視略正方形の凸状をなす凸部２１Ｐが、互いに複数離間して碁盤目状に突設されている（図２（ａ）参照）。この凸部２１Ｐによって、凸部２１Ｐを除いた上面２１Ｕ部分が相対的に凹んだ領域となっており、この領域が凹部２１Ｑである。
【００２０】
また、図２（ｂ）に示すように、底壁２１の下面２１Ｌは、平坦面である。この下面２１Ｌの外周部であって、外周縁から中央部よりに離間した位置には、外周部の周方向に沿って、下面２１Ｌから下方に突出した底面視略矩形の枠状をなす底足部２１Ｒが形成されている。また、左右方向（短手方向）に沿う下面２１Ｌ外周縁の中央部、即ち短辺の縁部の中央部には、指を掛けて容器本体２を把持するための凹状の把持用凹部２１Ｓが形成されている。この把持用凹部２１Ｓは、下面２１Ｌから上方に向けて、底壁２１の厚み方向（上下（表裏）方向又は高さ方向）の途中（例えば底壁２１の略半分の厚み）まで形成されている。
【００２１】
本体側壁２Ｂは、底壁２１の上面２１Ｕの外周縁部から上方に立ち上げられており、平面視多角形状又は円形状の枠状に形成されている。本実施形態では、本体側壁２Ｂは、平面視略矩形の枠状をなしており、底壁２１の各長辺の縁部から上方に立ち上げられた左右側壁２２，２２と、底壁２１の各短辺の縁部から上方に立ち上げられた前後側壁２３，２３とを備える。
【００２２】
左右側壁２２，２２及び前後側壁２３，２３はそれぞれ、下端から高さ方向途中位置であって、中央部よりも若干上方の位置にかけて設けられる肉厚の厚肉部２４と、該厚肉部から上方に延設される肉薄の薄肉部２５とを備える（図３，４参照）。厚肉部２４は、薄肉部２５に対し、厚み方向外面（以下単に、外面と称する）が面一であり、厚み方向内面（以下単に、内面と称する）側が肉厚になっている。よって、厚肉部２４と薄肉部２５との内面の連結部において、前記内面側に厚み差による段状の段部２６が形成されている。換言すれば、厚肉部２４の内面側の上端縁部が段部２６である。
【００２３】
また、厚肉部２４の内面には、容器本体２内側に突出した側壁凸条部２７が上下方向（側壁の高さ方向）に沿って形成されている（図２（ａ）、図３，４参照）。側壁凸条部２７は、上下方向（側壁の高さ方向）に長い直方体状をなし、厚肉部２４の上端から下端まで形成されている。側壁凸条部２７の下端は、底壁２１の凸部２１Ｐに連設されている。また、壁凸条部２７は、本体側壁２Ｂの厚肉部２４の内周面に、本体側壁２Ｂの内周方向に沿って複数離間して設けられている。具体的には、左右側壁２２，２２の厚肉部２４では、側壁凸条部２７は、前後方向（長手方向）に離間して複数設けられている（図３参照）。前後側壁２３，２３の厚肉部２４では、側壁凸条部２７は、左右方向（短手方向）に離間して複数設けられている（図４参照）。
【００２４】
また、薄肉部２５の内面側の上端縁部の全周に亘って、上方に突出した嵌合用凸条２８が形成されている（図２（ａ）、図３，４参照）。この嵌合用凸条２８は、平面視略矩形の枠状をなす。
【００２５】
このような容器本体２では、内部空間に中蓋３を収容するように構成されている。また、この容器本体２では、前後左右の本体側壁２Ｂの上端に囲まれた内側領域が開口部２Ａとして構成されている。この開口部２Ａは、開口部２Ａに対して着脱自在に構成される蓋体４によって自在に開放或いは閉塞されるようになっている。
【００２６】
中蓋３は、容器本体２の内部空間において本体側壁２Ｂの高さ方向途中位置に支持されることにより、前記容器本体２の内部空間を、前記高さ方向において上側（表側）の空間Ｓ１と下側（裏側）の空間Ｓ２とに区画するように構成されており、前記中蓋３の表側外周縁部の一部には、該中蓋３を前記容器本体２の内部に対して出し入れする際に把持可能な突起部３Ａが形成されてなる（図１参照）。具体的には、中蓋３は、図５，６に示すように、本体側壁２Ｂに内嵌する平面視略矩形の板状部３１と、この板状部３１の各短辺の縁部の中央部に相対向して形成される突起部３Ａと、前記板状部３１の各長辺の縁部に相対向して形成される中蓋補強用凸条部３２とを備える。
【００２７】
板状部３１は、矩形の平板状をなしている。この板状部３１の外周部を除く中央部には、断面略円形の孔３１ａが貫通して形成されている。この孔３１ａは、前記中央部において碁盤目状に離間して複数穿設されている。本実施形態では、板状部３１は、長手方向の長さ（長辺の長さ）が略３３．１ｃｍ、短手方向の長さ（短辺の長さ）が略２５．３ｃｍである。
【００２８】
突起部３Ａは、上方に突出する平面視略矩形のブロック体（直方体）状をなす。この突起部３Ａは、把持可能に構成される凸状の把持部である。本実施形態では、突起部３Ａは、長手方向（左右方向）の長さが略４．９ｃｍ、短手方向（前後方向）の長さが略３ｃｍである。
【００２９】
中蓋補強用凸条部３２は、板状部３１の上面（表面）から上方に突出する壁部である。この中蓋補強用凸条部３２は、矩形の板状部３１の外縁部であって、各長辺の全長に亘る縁部と、各短辺の縁部の両端部側とに、周方向に沿って形成されている（図５（ａ）参照）。各短辺の縁部の両端部側における中蓋補強用凸条部３２と、各短辺の縁部の中央部における突起部３Ａとは、指を入れるのに十分な所定の隙間Ｓを隔てて離間している。本実施形態では、各短辺の縁部の各端部側の中蓋補強用凸条部３２と突起部３Aとは、略２ｃｍ離間している。換言すれば、突起部３Aの長手方向（左右方向）の両端部側に、略２ｃｍの隙間Ｓが形成されている。よって、板状部３１の短辺の長さと、該短辺縁部に形成される突起部３Aの長さと、各隙間Ｓとの比率は、２５．３（ｃｍ）：４．９（ｃｍ）：２（ｃｍ）である。なお、上記板状部３１の短辺の長さと、該短辺縁部に形成される突起部３Aの長さと、各隙間Ｓとの比率（又は寸法）は、上記に限定されず、突起部３Ａの長手方向両端部の側面を隙間Ｓに指を入れて把持し易い範囲で変更可能である。
【００３０】
蓋体４は、図１，７に示すように、平面視多角形状又は円形状の一例として平面視略矩形に形成された板状の天壁４Ａと、天壁４Ａの下面外周部に沿って枠状に形成される蓋体側壁４１とを備えている。
【００３１】
天壁４Ａは、平面状の上面（表面）４Ｕと、上面外周縁から下方に垂下する外周側面と、平面状の下面（底面又は裏面）４Ｌとを有する。図７に示すように、天壁４Ａの上面４Ｕは、平坦な面をなしており、上面４Ｕの外周部（具体的には、外周縁）には、天壁４Ａの周方向に沿って上方に突出する蓋体補強用の補強用凸条部４Ｂが、天壁４Ａと一体的に形成されている。
【００３２】
補強用凸条部４Ｂは、天壁４Ａの上面外周部の周方向全長に亘って、枠状に配置されている。この補強用凸条部４Ｂの外縁の一部には、傾斜面が形成されている。具体的には、補強用凸条部４Ｂの各短辺外縁において、短手方向中央部に上面から外周側面に向けて下方に傾斜する傾斜面が形成されている。また、補強用凸条部４Ｂの各長辺外縁において、長手方向中央部に上面から外周側面に向けて下方に傾斜する傾斜面が形成されている。本実施形態では、この短辺及び長辺における傾斜面は、容器本体２と蓋体４を一体化するためのバンドを容器１の長辺方向、短辺方向に掛けるためのバンド掛部４Ｃとして構成される。より詳細には、このバンド掛部４Ｃは、容器本体２と天壁４Ａとを固定するバンドを掛け回すべく、凹状をなしており、凹下面と凹側面とを備えてなる。
【００３３】
蓋体側壁４１は、天壁４Ａの裏面４Ｌの外周縁部から下方に延びるよう、天壁４Ａの裏面４Ｌに一体的に形成されている。蓋体側壁４１の厚み方向中央部に、上方へ窪んで容器本体２の嵌合用凸条２８と着脱自在に嵌合される嵌合用凹部５が形成されている（図１、図７（ｂ）参照）。すなわち蓋体側壁４１は、嵌合用凹部と、嵌合用凹部に対して外側に配置された矩形枠状の凸条部分と、嵌合用凹部に対して内側に配置された矩形枠状の凸条部分とを備える。
【００３４】
以下、蓋体側壁４１において、嵌合用凹部５は嵌合用溝５と称し、嵌合用溝５に対して外側にある矩形枠状の凸条部分は外側壁部４２と称し、嵌合用溝５に対して内側にある矩形枠状の凸条部分は内側壁部４３と称する。なお、蓋体側壁４１において、天壁４Ａの裏面４Ｌから外側壁部４２の下面までの距離、すなわち外側壁部４２の高さは、裏面４Ｌから内側壁部４３の下面までの距離、すなわち内側壁部４３の高さに比べてわずかに低く設定されている。
【００３５】
外側壁部４２は、左右の外側壁部４１０，４１０と、前後の外側壁部４１１，４１１とから構成されている。左右の外側壁部４１０，４１０は、天壁４Ａの裏面４Ｌの左右の縁部から下方に向けて延びるよう形成され、前後の外側壁部４１１，４１１は、天壁４Ａの裏面４Ｌの前後の縁部から下方に向けて延びるよう形成されている。左右の外側壁部４１０，４１０および前後の外側壁部４１１，４１１の下端面は面一であり、外側壁部の高さは、天壁４Ａの裏面４Ｌから同一高さに設定されている。
【００３６】
内側壁部４３は、天壁４Ａの裏面４Ｌにおいて、外側壁部から所定距離（嵌合用溝５の幅に相当する距離）だけ内側にあって、外側壁部に沿って形成されている。内側壁部は、前後方向（長手方向）で対向する前後の内側壁部４２０，４２０と、左右方向（短手方向）で対向する左右の内側壁部４３０，４３０とから構成されている。すなわち内側壁部は、天壁４Ａの裏面４Ｌから下向きに突出した矩形枠状に形成されている。
【００３７】
嵌合用溝５は、容器本体２の嵌合用凸条２８と着脱自在に嵌合される窪みである。嵌合用溝５は、蓋体側壁４１の全周に沿って形成されている。嵌合用凸条２８と嵌合用溝５とを嵌合させることで、嵌合用凸条２８と嵌合用溝５とが密閉される（容器本体２と蓋体４とが密閉される）とともに、容器本体２の開口部２Ａが蓋体４で覆われる。
【００３８】
以上の構成からなる容器１では、作業者等によって容器本体２の開口部２Ａから魚介類（被収容物又は被搬送物）が収容された後に、容器本体２に蓋体４が装着されることで開口部２Ａが閉じられ（容器本体２の内部が外部に対してほぼ密封され）、容器１はこの状態で搬送に供される。
【００３９】
かかる容器１への魚介類の収容を詳細に説明すると、魚介類を容器本体２の底壁上面（表面）２１Ｕに載置する。続いて、中蓋３の突起部３Ａの長手方向両端部の側面を把持し、中蓋３を容器本体２内に移動させて収容する。具体的には、中蓋３の板状部３１を容器本体２の段部２６に載置させて、中蓋３を容器本体２に収容する。
【００４０】
ここで、段部２６は、中蓋３の下面（裏面）外縁部を支持しており、又は、底壁２１側から受け止めている。つまり、段部２６は、支持部又は受け部と称してもよい。また、中蓋３は、容器本体２の内部空間において本体側壁２Ｂの高さ方向途中位置に支持されることにより、容器本体２の内部空間を、前記高さ方向において表側（開口部２Ａ側）の空間Ｓ１と裏側（底壁２１側）の空間Ｓ２とに区画している（図１参照）。そして、中蓋３の板状部３１の孔３１ａは、表側空間Ｓ１と裏側空間Ｓ２とを連通させている。また、中蓋３は、段部２６で支持された状態で、容器本体２に対して、中蓋３の外側面と容器本体２の本体側壁２Ｂ内面（詳細には、薄肉部２５内面）とが当接又は僅かに離間した状態になっている。また、中蓋３は、段部２６で支持された状態で、裏側が容器本体２の底壁２１（上面２１Ｕ）に対向している。この中蓋３の裏側空間Ｓ２には、魚介類が収容されている。
【００４１】
そして、段部２６に支持された中蓋３の表側に、魚介類（被収容物）を保冷するための保冷材を載置し、容器本体２の開口部２Ａを蓋体４で閉塞する。容器本体２に蓋体４を装着するには、容器本体２側に形成されている嵌合用凸条２８に、その上方から蓋体４側に形成した嵌合用溝５を位置合わせするようにして、嵌合用凸条２８と嵌合用溝５とを嵌合する。なお、中蓋３は、容器本体２に蓋体４が装着された状態では、表側が天壁４Ａ（下面４Ｌ）に対向している。
【００４２】
このように密閉された容器１内では、保冷材は、中蓋３の表側空間Ｓ１であって、中蓋３の上面（表面）に載置されているので、中蓋３の裏側空間Ｓ２であって、底壁２１に載置した魚介類に直接接触することがない。また、密閉された容器１内では、中蓋３の上面に載置した保冷材の冷気が、中蓋３の孔３１ａを通って裏側空間Ｓ２に流れ込む。更に、容器本体２の底壁２１では、凹部２１Ｑに冷気が流れ込むことで、底壁２１に載置した魚介類を底壁側から保冷する。
【００４３】
一方、魚介類を容器１から取り出す際には、蓋体４を容器本体２から外して、保冷材を取り除き、中蓋３を容器本体から取り出す。そして、底壁２１上の魚介類を取り出す。
【００４４】
ここで、中蓋３を容器本体２から取り出す際には、中蓋３の突起部３Ａを把持し、中蓋３を容器本体２外に移動させる。
【００４５】
以上、本実施形態に係る容器１によれば、発泡性合成樹脂製の容器本体２と中蓋３と蓋体４とを備え、前記容器本体２は、魚介類（被収容物）が載置される底壁２１と、該底壁２１の表側外周縁部から立設され高さ方向端部を容器本体２の開口部２Ａとする枠状の本体側壁２Ｂとを備え、前記中蓋３は、前記容器本体２の内部空間において前記本体側壁２Ｂの高さ方向途中位置に支持されることにより、前記容器本体２の内部空間を、前記高さ方向において表側の空間Ｓ１と裏側の空間Ｓ２とに区画するように構成されており、前記中蓋３の表側外周縁部の一部には、該中蓋３を前記容器本体２の内部に対して出し入れする際に把持可能な突起部３Ａが形成されている。
【００４６】
かかる構成からなる容器１によれば、中蓋３の表側外周縁部の一部には、把持可能な突起部３Ａが形成されているので、突起部３Ａを把持して、容器本体２に対し中蓋３を収容することや、この収容状態の中蓋３を取り出したりすることを容易にできる。したがって、かかる構成からなる容器１では、中蓋３の容器本体２に対する操作性を向上させることができる。
【００４７】
また、本実施形態に係る容器１では、前記底壁２１は平面視略矩形をなすと共に、前記本体側壁２Ｂは平面視略矩形の枠状をなし、前記中蓋３は、前記本体側壁２Ｂに内嵌する平面視略矩形の板状部３１を備え、前記突起部３Ａは、板状部３１の各短辺の縁部の中央部に形成されている。かかる構成からなる容器１によれば、中蓋３は、平面視略矩形の板状部３１を備え、突起部３Ａは、板状部３１の各短辺の縁部の中央部に形成されているので、各短辺縁部の中央部の突起部３Ａを把持し易く、更に、この各短辺の突起部３Ａは長手方向両端側に形成されており、各短辺の突起部３Ａを把持することで板状部３１を安定して移動させることができるので、中蓋３の容器本体２に対する操作性を向上させることができる。
【００４８】
また、本実施形態に係る容器１では、前記板状部３１の各長辺の縁部と各短辺の縁部の両端部側には、中蓋補強用凸条部３２が形成されている。かかる構成からなる容器１によれば、板状部３１の各長辺縁部と各短辺の縁部の両端部側とを肉厚にして、中蓋３の強度を向上させることができる。
【００４９】
また、本実施形態に係る容器１では、中蓋３を段部２６で支持した状態で、容器本体２の内部空間を、中蓋３の表側空間Ｓ１と裏側空間Ｓ２とに分けることができる。そして、中蓋３の表側空間Ｓ１であって、中蓋３の上面に保冷材を載置し、中蓋３の裏側空間Ｓ２であって、容器本体２の底壁２１に魚介類を載置することで、保冷材と魚介類とが接触することを防止できる。即ち、かかる容器１では、被収容物と保冷材との接触による被収容物の質（品質）の低下を防止でき、被収容物を適度に保冷することができる。
【００５０】
また、本実施形態に係る容器１では、中蓋３の板状部３１は、孔３１ａを備えており、中蓋３を段部２６で支持した状態で、中蓋３の表側空間Ｓ１と裏側空間Ｓ２とが孔３１ａを介して連通されるので、中蓋３の表側空間Ｓ１にある保冷材による冷気を裏側空間Ｓ２に効率良く移動させることができる。
【００５１】
また、本実施形態に係る容器１では、容器本体２の底壁２１の上面２１Ｕには凹凸面が形成されており、保冷材による冷気が凹部２１Ｑに流れ込むことで、底壁２１に載置した魚介類を底壁側から保冷できる。即ち、保冷効率を向上させることができる。
【００５２】
尚、本発明は、前記実施形態に限定されるものではなく、本発明の要旨を逸脱しない範囲で種々の変更が可能である。
【００５３】
前記実施形態では、中蓋３の表側空間Ｓ１であって、中蓋３の上面に保冷材を載置し、中蓋３の裏側空間Ｓ２であって、容器本体２の底壁２１に魚介類を載置する場合について説明したが、これに限らず、中蓋３の表側空間Ｓ１に被収容物を収容し、中蓋３の裏側空間Ｓ２に保冷材を収容することも可能である。或いは、中蓋３の表側空間Ｓ１と裏側空間Ｓ２とに同じ又は異なる被収容物を各々収容することも可能である。
【００５４】
前記実施形態では、突起部３Ａは、板状部３１の各短辺の縁部の中央部に相対向して形成される場合について説明したが、これに限らず、突起部３Ａは、一方の短辺のみに形成することができる。また、突起部３Ａは、板状部３１の少なくとも一方の短辺の縁部の端部側に形成することも可能である。また、突起部３Ａは、板状部３１の少なくとも一方の長辺の縁部の中央部又は端部側に形成することも可能である。また、突起部３Ａは、各短辺又は各長辺に相対向して設ける場合に限らず、相対向しないように辺上で位置を互いにずらせて構成することもできる。
【００５５】
また、前記実施形態では、中蓋補強用凸条部３２は、板状部３１の各長辺の縁部と各短辺の縁部の両端部側に形成される場合について説明したが、これに限らず、中蓋補強用凸条部３２は、板状部３１の各長辺の縁部のみに形成されることができる。なお、中蓋補強用凸条部３２を、板状部３１に形成しないことも可能である。
【００５６】
また、前記実施形態では、中蓋３を段部２６で支持する構成について説明したが、これに限らず、中蓋３は、容器本体２に収容した状態で、容器本体２の内部空間において本体側壁２Ｂの高さ方向途中位置に板状部３１を支持（配置）可能な支持部を備えて構成されることができる。例えば、中蓋３は、本体側壁２Ｂに係止される又は底壁２１に載置される支持部を板状部３１の隅部（例えば４隅）に設けることができる。
【符号の説明】
【００５７】
１…容器、２…容器本体、２Ａ…開口部、２Ｂ…本体側壁、３…中蓋、３A…突起部、４…蓋体、４Ａ…天壁、４Ｂ…補強用凸条部、４Ｃ…バンド掛部、５…嵌合用凹部，嵌合用溝、２１…底壁、２１Ｐ…凸部、２１Ｑ…凹部、２１Ｒ…底足部、２１Ｓ…把持用凹部、２２，２２…左右側壁、２３，２３…前後側壁、２４…厚肉部、２５…薄肉部、２６…段部、２７…側壁凸条部、２８…嵌合用凸条、３１…板状部、３１ａ…孔、３２…中蓋補強用凸条部、４１…蓋体側壁、４２…外側壁部、４３…内側壁部、４１０，４１０…左右の外側壁部、４１１，４１１…前後の外側壁部、４２０，４２０…前後の内側壁部、４３０，４３０…左右の内側壁部、Ｓ…隙間、Ｓ１…表側空間、Ｓ２…裏側空間
【図１】
2014069868.tif 000003
【図２】
2014069868.tif 000004
【図３】
2014069868.tif 000005
【図４】
2014069868.tif 000006
【図５】
2014069868.tif 000007
【図６】
2014069868.tif 000008
【図７】
2014069868.tif 000009